(57)【要約】【課題】身体への負担軽減を図る。【解決手段】吐水装置Ａは、吐水部１１〜１４と、吐水部１１〜１４の出湯温度を設定可能な温度設定操作部３０と、制御部６１とを備えている。制御部６１は、吐水部１１〜１４の出湯開始から所定の初期吐水時間が経過するまでの間の出湯温度を３５℃〜３７℃の体温相当温度に保ち、初期吐水時間の経過後は出湯温度を体温相当温度から温度設定操作部３０における設定温度まで経時的に移行させる。【選択図】図５
2020143465.tif 000002
【特許請求の範囲】
【請求項１】
吐水部と、
前記吐水部の出湯温度を設定可能な温度設定操作部と、
制御部とを備え、
前記制御部は、前記吐水部の出湯開始から所定の初期吐水時間が経過するまでの間の出湯温度を３５℃〜３７℃の体温相当温度に保ち、前記初期吐水時間の経過後は出湯温度を前記体温相当温度から前記温度設定操作部における設定温度まで経時的に移行させることを特徴とする吐水装置。
【請求項２】
前記初期吐水時間が変更可能であることを特徴とする請求項１記載の吐水装置。
【請求項３】
前記吐水部からの出湯温度を前記体温相当温度から前記設定温度へ移行させるのに要する温度移行時間が、変更可能であることを特徴とする請求項１又は請求項２に記載の吐水装置。
【発明の詳細な説明】
【技術分野】
【０００１】
本発明は、吐水装置に関する。
【背景技術】
【０００２】
特許文献１には、浴室利用開始時におけるヒートショックを回避することを目的とした吐水装置が開示されている。この吐水装置は、吐出部からの吐水を開始した直後に、吐出部経路（給水経路）内に残留している冷水を排出し、排水温度が所定温度まで上昇すると、使用対象である吐水部から湯を吐出するようになっている。この吐水装置によれば、吐水を開始したときに、冷水を身体に浴びるおそれがないので、ヒートショックを防止することができる。
【先行技術文献】
【特許文献】
【０００３】
【特許文献１】特開２０００−１４５８０号公報
【発明の概要】
【発明が解決しようとする課題】
【０００４】
上記の吐水装置は、排水が完了した後に、予め設定された温度の湯がいきなり吐出する。そのため、設定した温度が体温に比べて著しく高い場合や、体温より著しく低い場合には、シートショックに至らなくても、身体に血圧変動等の負担をかけることになる。
【０００５】
本発明は、上記従来の実情に鑑みてなされたものであって、身体への負担軽減を図ることを解決すべき課題としている。
【課題を解決するための手段】
【０００６】
本発明の吐水装置は、吐水部と、前記吐水部の出湯温度を設定可能な温度設定操作部と、制御部とを備えている。制御部は、前記吐水部の出湯開始から所定の初期吐水時間が経過するまでの間の出湯温度を３５℃〜３７℃の体温相当温度に保ち、前記初期吐水時間の経過後は出湯温度を前記体温相当温度から前記温度設定操作部における設定温度まで経時的に移行させる。
【発明の効果】
【０００７】
吐水部からの出湯を開始すると、出湯開始から所定の初期吐水時間が経過するまでの間は出湯温度が３５℃〜３７℃の体温相当温度に維持されるので、ヒートショックのおそれがない。出湯開始から所定の初期吐水時間が経過すると、出湯温度が、体温相当温度から温度設定操作部における設定温度に達するまで経時的に変化する。したがって、設定温度と体温相当温度との温度差が大きくても、ヒートショックを緩和又は防止できる。
【図面の簡単な説明】
【０００８】
【図１】実施例１の吐水装置の斜視図である。
【図２】吐水装置の構成をあらわしたブロック図である。
【図３】温度設定操作部の表示形態をあらわした正面図である。
【図４】制御部による出湯温度の制御手順をあらわしたフローチャートである。
【図５】選択した吐水部からの出湯開始後における出湯温度の経時的な推移をあらわしたグラフである。
【発明を実施するための形態】
【０００９】
本発明の吐水装置は、前記初期吐水時間が変更可能であってもよい。体温相当温度で出湯される初期吐水時間を、使用者の年齢や体調等に応じて変えることにより、身体への負担を更に軽減することができる。
【００１０】
本発明の吐水装置は、前記吐水部からの出湯温度を前記体温相当温度から前記設定温度へ移行させるのに要する温度移行時間が、変更可能であってもよい。体温相当温度と設定温度との温度差等に応じて、温度移行時間を変更することにより、身体への負担を更に軽減することができる。
【００１１】
＜実施例１＞
以下、本発明を具体化した実施例１を図１〜図５を参照して説明する。尚、以下の説明において、前後の方向については、図１にあらわれる面を前面とする。上下の方向については、図１にあらわれる向きを、そのまま上方、下方と定義する。左右の方向については、図１にあらわれる向きを、そのまま左方、右方と定義する。
【００１２】
本実施例１の吐水装置Ａは、浴室に設置されるものである。図１に示すように、吐水装置Ａは、上下方向に長い方形のハウジング１０を有する。ハウジング１０は浴室の壁面に取り付けられる。吐水装置Ａは、ヘッドシャワー用吐水部１１（請求項に記載の吐水部）と、ハンドシャワー用吐水部１２（請求項に記載の吐水部）と、ミスト用吐水部１３と（請求項に記載の吐水部）、カラン用吐水部１４（請求項に記載の吐水部）とを有する。
【００１３】
ヘッドシャワー用吐水部１１は、ハウジング１０の正面上端部に配置されている。ヘッドシャワー用吐水部１１は、他の３つの吐水部１２〜１４よりも大口径であり、三次元方向に向きを変えることができるようになっている。ヘッドシャワー用吐水部１１からは、下向きに湯水が吐出されるようになっている。本実施例１では、ヘッドシャワー用吐水部１１から湯水を吐出させる使用形態を、ヘッドシャワーモードという。
【００１４】
ハンドシャワー用吐水部１２は、ハウジング１０の外側面から延びた可撓性を有するシャワーホース１５と、シャワーホース１５の先端部に取り付けたシャワーヘッド１６とを備えている。本実施例１では、ハンドシャワー用吐水部１２のシャワーヘッドから湯水を吐出させる使用形態を、ハンドシャワーモードという。
【００１５】
ミスト用吐水部１３は、複数のノズル１７を備えて構成されている。複数のノズル１７は、ハウジング１０の正面における左右両側縁部に沿って上下方向に並ぶように配置されている。各ノズル１７からは、ミストが霧状に放出されるようになっている。本実施例１では、ミスト用吐水部１３から湯水を吐出させる使用形態を、ミストモードという。
【００１６】
カラン用吐水部１４は、ハウジング１０の下端面に取り付けられている。カラン用吐水部１４は、水平に延びて水平に旋回可能なアーム部１８を有し、アーム部１８の先端部には、下向きに湯水を層流状に吐出する吐出口１９が設けられている。本実施例１では、カラン用吐水部１４から湯水を吐出させる使用形態を、カランモードという。
【００１７】
吐水装置Ａは、ヘッドシャワー用ハンドル２１と、ハンドシャワー用ハンドル２２と、ミスト用ハンドル２３と、カラン用ハンドル２４とを有する。これら４つのハンドル２１〜２４は、正面形状が円形の円柱形をなし、ハウジング１０の正面における左右方向中央部において上下に並ぶように配置されている。ヘッドシャワー用ハンドル２１は一番上に配置され、その下にハンドシャワー用ハンドル２２が配置され、その下にミスト用ハンドル２３が配置され、一番下にカラン用ハンドル２４が配置されている。各ハンドル２１〜２４は、使用する吐水部１１〜１４を選択するためのモード選択操作と、対応する吐水部１１〜１４からの吐出量を変えるための流量変更操作を行うためのものである。
【００１８】
各ハンドル２１〜２４の正面にはタッチスイッチ２５が設けられている。各タッチスイッチ２５は、例えばリング状のＬＥＤからなる発光部２６を備えている。４つのタッチスイッチ２５のうち使用したい吐水部１１〜１４のタッチスイッチ２５に指が触れると、指が触れたタッチスイッチ２５がＯＮ状態となり、指が触れたタッチスイッチ２５の発光部２６が点灯する。指が触れたタッチスイッチ２５と対応する吐水部１１〜１４は、使用対象として選択される。ＯＮ状態のタッチスイッチ２５に指が触れると、指が触れたタッチスイッチ２５はＯＮ状態からＯＦＦ状態に切り替わり、点灯していた発光部２６が消灯する。ＯＦＦ状態となったタッチスイッチ２５と対応する吐水部１１〜１４は、使用対象から外れる。
【００１９】
いずれかのタッチスイッチ２５がＯＮ状態であるときに、別のタッチスイッチ２５に新たに触れると、ＯＮ状態であったタッチスイッチ２５がＯＦＦ状態に切り替わると同時に、新たに触れたタッチスイッチ２５がＯＦＦ状態からＯＮ状態に切り替わる。したがって、４つのタッチスイッチ２５のうち吐水可能なＯＮ状態になるのは、いずれか１つのタッチスイッチ２５だけであり、使用可能な状態になるのは４つの吐水部１１〜１４のうちいずれか１つの吐水部１１〜１４だけである。
【００２０】
各ハンドル２１〜２４は、時計回り方向と反時計回り方向のいずれにも、回転させることができるようになっている。各ハンドル２１〜２４の回転角度は、角度センサ２７（図２参照）により個別に検出されるようになっている。ＯＮ状態となっている吐水部１１〜１４と対応するハンドル２１〜２４を時計回り方向へ回転させると、その吐水部１１〜１４から吐出される湯の流量（給湯量）がハンドル２１〜２４の回転角度に比例して増大する。吐水部１１〜１４から湯が吐出している状態で、ハンドル２１〜２４を反時計回り方向へ回転させると、その吐水部１１〜１４から吐出される湯の流量（給湯量）がハンドル２１〜２４の回転角度に比例して減少するようになっている。ハンドル２１〜２４が所定角度まで回転されると、吐水部１１〜１４からの吐水が停止するようになっている。
【００２１】
図１に示すように、ハウジング１０の正面には、温度設定操作部３０が設けられている。温度設定操作部３０は、液晶パネル等からなり、ヘッドシャワー用吐水部１１よりも下方であり、且つミスト用吐水部１３の上端及びヘッドシャワー用ハンドル２１よりも上方の位置に配置されている。図３に示すように、温度設定操作部３０は、吐水温度設定部３１と初期吐水設定部３２を有する。吐水温度設定部３１は、各吐水部１１〜１４から出湯させたい所望の出湯温度（吐水温度）を個別に設定・変更するための操作部である。初期吐水設定部３２は、吐水部１１〜１４からの出湯を開始した直後の出湯温度等を設定・変更するための操作部である。
【００２２】
吐水温度設定部３１には、「ヘッドシャワー」、「ハンドシャワー」、「ミスト」、「カラン」の各文字３３が上から下へ順に並んで表示される。いずれかの文字３３を指で押すと、押された文字３３と対応する吐水部１１〜１４が温度調節の対象として選択される。各吐水部１１〜１４の文字３３の右側には、各吐水部１１〜１４毎に設定する出湯温度を示す文字３４が並んで表示される。出湯温度を示す文字３４の下方には、「上向き三角形」の図形３５と「下向き三角形」の図形３６が表示される。
【００２３】
いずれかの吐水部１１〜１４を選択した状態において、「上向き三角形」の図形３５を指で押すと、選択した吐水部１１〜１４の設定温度３４が上昇する。「下向き三角形」の図形３６を指で押すと、選択した吐水部１１〜１４の設定温度３４が下降する。吐水部１１〜１４を選択した旨の情報と、設定した温度の情報（設定温度情報）は、吐水部１１〜１４の選択情報とともに、温度設定信号として出力される。
【００２４】
吐水部１１〜１４の選択用の文字３３の下方には、「終了」の文字３７が表示される。「終了」の文字３７を指で押すと、吐水温度設定の操作が終了した旨の情報が、吐水部１１〜１４の選択情報及び設定温度情報とともに、温度設定信号として出力される。「終了」の文字３７を指で押した後も、「ヘッドシャワー」、「ハンドシャワー」、「ミスト」、「カラン」のうちいずれかの文字３３を指で押せば、温度調節の操作が可能な状態となる。
【００２５】
本実施例１の吐水装置Ａでは、選択した吐水部１１〜１４からの出湯（吐水）が開始すると、吐水形態が自動的に初期吐水モードとなる。初期吐水モードは、出湯開始から所定の初期吐水時間が経過するまで継続し、この間、出湯温度が一定の体温相当温度（３５℃〜３７℃）に維持される。また。初期吐水モードが終了すると、吐水形態が温度移行モードに切り替わり、吐水部１１〜１４からの出湯温度が、体温相当温度から、吐水温度設定部３１で手動設定され所望の設定温度へ経時的に移行する。
【００２６】
初期吐水設定部３２では、初期吐水モードと移行モードに関する設定・変更を行う。初期吐水設定部３２には、「初期吐水時間」の文字３８と、初期吐水モードの継続時間を示す文字３９が左右に並んで表示される。また、「初期吐水温度」の文字４０と、初期吐水温度（体温相当温度）を示す文字４１（３５℃〜３７℃のいずれか）が左右に並んで表示される。さらに、「温度移行時間」の文字４２と、温度移行に要する時間を示す文字４３が左右に並んで表示される。
【００２７】
温度移行に要する時間を示す文字４３の下方には、「上向き三角形」の図形４４と「下向き三角形」の図形４５が表示される。「初期吐水時間」を選択した状態において、「上向き三角形」の図形４４を指で押すと初期吐水モードの継続時間が長くなり、「下向き三角形」の図形４５を指で押すと初期吐水モードの継続時間が短くなる。「初期吐水温度」を選択した状態において、「上向き三角形」の図形４４を指で押すと初期吐水モードの体温相当温度が高くなり、「下向き三角形」の図形４５を指で押すと初期吐水モードの体温相当温度が低くなる。
【００２８】
「温度移行時間」を選択した状態において、「上向き三角形」の図形４４を指で押すと温度移行モードの移行時間が長くなり、「下向き三角形」の図形４５を指で押すと温度移行モードの移行時間が短くなる。初期吐水モード及び温度移行モードに関して設定・変更した情報は、初期吐水設定信号として出力される。
【００２９】
初期吐水設定部３２には、「温度移行時間  自動」の文字４６が表示される。「温度移行時間  自動」の文字４６を押すと、温度移行モードにおいて体温相当温度から吐水温度設定部３１で手動設定した出湯温度へ移行するのに要する時間は、後述する制御部６１が自動的に設定・変更する。「温度以降時間」の文字４２の下方には、「終了」の文字４７が表示される。「終了」の文字４７を指で押すと、初期吐水モードに関する操作が終了した旨の情報が出力される。
【００３０】
図２に示すように、吐水装置Ａは、４つの吐水部１１〜１４に湯水を供給するための給水路４９を有している。給水路４９は、１本（１系統）の共用流路５０と、共用流路５０の下流端に分岐状（並列状）に接続された４本（４系統）の分岐路５１〜５４とを有している。
【００３１】
ヘッドシャワー用分岐路５１の下流端にはヘッドシャワー用吐水部１１が接続されている。ハンドシャワー用分岐路５２の下流端にはハンドシャワー用吐水部１２が接続されている。ミスト用分岐路５３の下流端にはミスト用吐水部１３が接続されている。カラン用分岐路５４の下流端にはカラン用吐水部１４が接続されている。４本の分岐路５１〜５４のうちカラン用分岐路５４は、ハウジング１０内における最も低い領域に配管され、給水路４９内の残留水をカラン用吐水部１４から排出するための排水路として機能する。
【００３２】
吐水装置Ａは混合部５５を有する。混合部５５は、共用流路５０の上流端に設けられている。混合部５５には、給水源５６の下流端と給湯源５７の下流端とが接続されている。混合部５５は、共用流路５０を開閉するための開閉弁機構（図示省略）と、吐水部１１〜１４へ供給する湯水の流量を調節する流量調節機構（図示省略）と、給水源５６から供給された水と給湯源５７から供給された湯の混合比を調節する温度調節機構（図示省略）とを兼ね備えている。
【００３３】
吐水装置Ａは給水温度センサ５８を有する。給水温度センサ５８は、共用流路５０の途中（混合部５５より下流側であり、且つ４本の分岐路５１〜５４の上流端よりも上流側の位置）に設けられ、共用流路５０を流れる湯水の温度を検出する。吐水装置Ａは、４つの電磁開閉弁５９を有する。４つの電磁開閉弁５９は、４本の分岐路５１〜５４の途中に個別に設けられている。各電磁開閉弁５９は、各分岐路５１〜５４における湯水の流動を許容する開弁状態（給水可能状態）と、各分岐路５１〜５４における湯水の流動を停止する閉弁状態（止水状態）との間で切り替わる。
【００３４】
吐水装置Ａは、排水温度センサ６０を有する。排水温度センサ６０は、４本の分岐路５１〜５４のうち最も低い領域に配管されたカラン用分岐路５４（排水路）のみに設けられている。排水温度センサ６０は、カラン用吐水部１４から排出される湯水の温度を検出し、排水温度検出信号を出力する。
【００３５】
吐水装置Ａのハウジング１０内には制御部６１が設けられている。制御部６１は、吐水装置Ａの使用を開始するのに先立ち、吐水部１１〜１４から吐出された冷水を浴びることに起因する不快感を回避するための制御機能を備えている。具体的には、制御部６１は、選択した吐水部１１〜１４からの吐水を開始する前に、混合部５５から湯を給水路４９内に供給させながら給水路４９内の残留水を排出させる。この残留水排出の制御を実行するため、制御部６１には、排水温度センサ６０からの排水温度検出信号が入力されるようになっている。
【００３６】
制御部６１は、選択された吐水部１１〜１４から、手動で設定した温度の湯水を所望の流量で吐出させる制御機能を有する。この制御を実行するため、図２に示すように、制御部６１には、４つのタッチスイッチ２５からのＯＮ・ＯＦＦ信号と、４つの角度センサ２７からの角度検出信号と、温度設定操作部３０からの温度設定信号と、給水温度センサ５８からの給水温度検出信号が入力される。これらの信号に基づき、制御部６１は、混合部５５の開閉弁機構と流量調節機構と温度調節機構を電気的に制御し、４つの電磁開閉弁５９の開閉動作を電気的に制御する。
【００３７】
制御部６１は、温度設定操作部３０で手動設定した出湯温度と体温との温度差が大きい場合に、吐水部１１〜１４から吐出された湯を浴びたときの不快感を回避するための制御機能を備えている。具体的には、出湯開始直後の初期吐水モードの間は、出湯温度が体温とほぼ同じ温度に維持され、所定の初期吐水時間が経過すると、出湯温度が手動で設定した温度へ変化する。
【００３８】
次に、吐水装置Ａの使用形態について説明する。まず、各吐水部１１〜１４から吐出させる湯の温度を設定する。設定の際には、温度設定操作部３０を操作し、使用したい吐水部１１〜１４を選択して、選択した吐水部１１〜１４から吐出させたい湯の温度を設定する。各吐水部１１〜１４について、順次、温度を設定していく。設定が完了したら、「終了」の文字を押す。設定した出湯温度の情報は、制御部６１の記憶部（図示省略）で記憶される。
【００３９】
次に、制御部６１による吐水制御を図４に示すフローチャートを参照して説明する。使用する吐水部１１〜１４のタッチスイッチ２５が押されると、そのタッチスイッチ２５からのＯＮ・ＯＦＦ信号が制御部６１に入力され、制御部６１は、選択された吐水部１１〜１４を特定する（ステップＳ１０１）。制御部６１は、分岐路５１〜５４に設けられている４つの電磁開閉弁５９のうちカラン用吐水部１４に接続されている電磁開閉弁５９のみを開弁し、他の３つの電磁開閉弁５９を閉弁状態とし（ステップＳ１０２）、混合部５５において体温相当温度の湯の供給を開始させる（ステップＳ１０３）。この時点では、選択した吐水部１１〜１４の電磁開閉弁５９は閉弁したままである。
【００４０】
カラン用吐水部１４の電磁開閉弁５９を開弁することにより、給水路４９内に残留している水が、カラン用分岐路５４を通ってカラン用吐水部１４から排出されるとともに、給水路４９には上流側から体温相当温度の湯が充填されていく。カラン用吐水部１４から排出される水の温度は、排水温度センサ６０によりに検出される。制御部６１は、排水温度センサ６０からの排水温度検出信号に基づき、残留水の排出が完了したか否かを判断する（ステップＳ１０４）。給水路４９内の残留水が全て排出されると、カラン用吐水部１４から湯が排出されるようになるので、制御部６１は、残留水の排出が完了したと判断する。
【００４１】
残留水の排出が完了したら、制御部６１は、カラン用分岐路５４の電磁開閉弁５９を閉弁状態に切り替え（ステップＳ１０５）、選択された吐水部１１〜１４の分岐路５１〜５４の電磁開閉弁５９を開弁状態に切り換える（ステップＳ１０６）。すると、選択された吐水部１１〜１４から体温相当温度の湯が出湯し、初期吐水モードが開始する。初期吐水モードに切り替わってから、初期吐水設定部３２で設定した所定の初期吐水時間が経過すると（ステップＳ１０７）、吐水形態が初期吐水モードから温度移行モードに切り替わる。
【００４２】
温度移行モードでは、制御部６１が、混合部５５における水と湯の混合比を経時的に変化させるので、選択した吐水部１１〜１４からの出湯温度は、図５のグラフに示すように、体温相当温度から、吐水温度設定部３１で手動設定した温度へ徐々に変化していく。そして、初期吐水設定部３２で設定した温度移行時間が経過すると（ステップＳ１０９）、吐水部１１〜１４からの出湯温度が手動による設定温度になり、温度移行モードが終了する。尚、初期吐水設定部３２において「温度移行時間  自動」を選択した場合、制御部６１は、吐水温度設定部３１で手動設定した温度と体温相当温度との温度差や、初期吐水時間の長さ等に応じて、温度移行時間を自動的に設定する。
【００４３】
図５のグラフは、選択した吐水部１１〜１４からの出湯温度の経時的な変化をあらわしている。グラフの横軸は、選択した吐水部１１〜１４からの出湯が開始してからの経過時間を示す。グラフの縦軸は、選択した吐水部１１〜１４からの出湯温度を示す。グラフにおいて、実線は、手動で設定した出湯温度が体温相当温度より高い場合の出湯温度の推移を示し、破線は、手動で設定した出湯温度が体温相当温度より低い場合の出湯温度の推移を示す。初期吐水モードでは、出湯温度が一定（体温相当温度）の温度に保たれ、温度移行モードでは、出湯温度が徐々に変化する。温度移行モードが終了すると、出湯温度は設定温度が維持される。
【００４４】
選択した吐水部１１〜１４からの出湯流量は、ハンドル２１〜２４の回転操作によって変えることができる。吐水部１１〜１４から吐水されていない止水状態において、タッチスイッチ２５がＯＦＦ状態からＯＮ状態に切り替わると、その時点で、そのときのハンドル２１〜２４の回転位置が原点（止水位置）として設定される。この原点位置からハンドル２１〜２４を時計回り方向へ回転させると、ハンドル２１〜２４の回転角度を検出した角度センサ２７からの角度検出信号が、制御部６１に入力される。
【００４５】
制御部６１は、回転角度に比例する流量を演算し、給水温度センサ５８からの検出信号と、選択した吐水部１１〜１４の設定温度の記憶情報に基づき、混合部５５の流量調節機構に制御信号を送る。これにより、吐水部１１〜１４からの吐水が開始し、ハンドル２１〜２４の回転角度に応じた流量の湯水が吐水部１１〜１４から吐出される。吐水状態からハンドル２１〜２４を反時計回り方向へ回転させると、出湯流量が少なくなる。ハンドル２１〜２４を原点位置まで戻すと、止水状態となる。
【００４６】
本実施例１の吐水装置Ａは、入浴開始時における身体への負担軽減を図るための制御機能を備えたものであり、吐水部１１〜１４と、吐水部１１〜１４の出湯温度を設定可能な温度設定操作部３０と、制御部６１とを備えている。吐水部１１〜１４の出湯開始から所定の初期吐水時間が経過するまでの間（初期吐水モードの間）、制御部６１は、吐水部１１〜１４からの出湯温度を３５℃〜３７℃の体温相当温度に保つ。初期吐水時間が経過して初期吐水モードが終了した後（温度移行モードの間）、制御部６１は、出湯温度を体温相当温度から温度設定操作部３０における設定温度まで経時的に変化させる。
【００４７】
吐水部１１〜１４からの出湯を開始すると、出湯開始から所定の初期吐水時間が経過するまでの間は出湯温度が３５℃〜３７℃の体温相当温度に維持されるので、血圧変動等のヒートショックのおそれがない。選択した吐水部１１〜１４における出湯が開始してから所定の初期吐水時間が経過すると、出湯温度が、体温相当温度から温度設定操作部３０における設定温度に達するまで経時的に変化する。したがって、設定温度と体温相当温度との温度差が大きくても、ヒートショックが緩和又は防止される。
【００４８】
また、選択した吐水部１１〜１４における出湯が開始してから、出湯温度の変化が始まるまでの初期吐水時間は、変更可能である。体温相当温度が維持される初期吐水時間を、使用者の年齢や体調等に応じて変えることにより、身体への負担を更に軽減することができる。また、選択した吐水部１１〜１４からの出湯温度を体温相当温度から設定温度へ移行させるのに要する温度移行時間は、変更可能である。体温相当温度と設定温度との温度差等に応じて、温度移行時間を変更すれば、身体への負担を更に軽減することができる。
【００４９】
＜他の実施例＞
本発明は上記記述及び図面によって説明した実施例に限定されるものではなく、例えば次のような実施例も本発明の技術的範囲に含まれる。
（１）上記実施例では、選択した吐水部から出湯させる際に、給水路内の残留水を事前に排出するようにしたが、給水路内の水温と体温との温度差が小さい夏季においては、残留水の事前排出を行わなくてもよい。
（２）上記実施例では、体温相当温度で出湯される初期吐水の出湯時間を、手動で設定できるようにしたが、初期吐水の出湯時間は、浴室温度等に応じて自動的に変更・設定されるようにしてもよい。
（３）上記実施例では、初期吐水の出湯温度を、体温相当温度（３５℃〜３７℃）の範囲内において手動で設定できるようにしたが、初期吐水の出湯温度は、浴室温度等に応じて自動的に変更・設定されるようにしてもよい。
（４）上記実施例では、初期吐水終了後に体温相当温度から設定温度へ移行するのに要する温度移行時間を、自動モードと手動モードの両モードで設定・変更できるようにしたが、温度移行時間の設定・変更は、自動モードのみ又は手動モードのみで行えるようにしてもよい。
（５）上記実施例では、複数の吐水部がヘッドシャワー用吐水部とミスト用吐水部を含むが、本発明は、ヘッドシャワー用吐水部やミスト用吐水部を有しない吐水装置にも適用できる。
（６）上記実施例では、４種類の吐水部を有するが、吐水部の種類数は、３つ以下でもよく、５つ以上でもよい。
（７）上記実施例では、吐水部から湯が吐出している出湯状態では、複数の吐水部のうちいずれか１つの吐水部だけから湯が吐出されるようにしたが、複数の吐水部から湯が同時に吐出するようにしてもよい。
（８）上記実施例では、混合部が、水と湯の混合比（給湯温度）を調節する機構だけでなく、吐水部への給湯流量を調節する機構も兼ね備えているが、混合部は、吐水部への出湯流量調節機構を有しない形態であってもよい。この場合、共用流路に１つの出湯流量調節機構を設けてもよく、各吐水部用に分かれた複数の分岐流路に、複数の出湯流量調節機構を個別に設けてもよい。
（９）上記実施例では、複数の吐水部の一部が排水部としての機能を兼ね備えているが、排水部は、吐水部とは別の専用手段として設けてもよい。
（１０）上記実施例では、給水路内の残留水をカラン用吐水部から排出するようにしたが、残留水の排出は、カラン用吐水部以外の吐水部（ヘッドシャワー用吐水部又はハンドシャワー用吐水部）から行うようにしてもよい。
【符号の説明】
【００５０】
Ａ…吐水装置
１１…ヘッドシャワー用吐水部（吐水部）
１２…ハンドシャワー用吐水部（吐水部）
１３…ミスト用吐水部（吐水部）
１４…カラン用吐水部（吐水部）
３０…温度設定操作部
６１…制御部
【図１】
2020143465.tif 000003
【図２】
2020143465.tif 000004
【図３】
2020143465.tif 000005
【図４】
2020143465.tif 000006
【図５】
2020143465.tif 000007